(57)【特許請求の範囲】
【請求項１】
設置面と接する底部及び前記底部より円錐状に立設する円錐部を有するコーンに取り付けられ、
第１環状部と、
第２環状部と、
前記第１環状部及び前記第２環状部を連結し、柱状の連結部と、
を備え、
前記第１環状部及び前記第２環状部は、それぞれの一方面上から立設して所定間隔を空けて設けられる一対の突起部を有し、
前記突起部を形成する２つのリブは、前記連結部を挟み込むことが可能であることを特徴とする連結用具。
【請求項２】
前記第１環状部及び前記第２環状部は、前記円錐部の最大外径より大きく、前記底部の外径より小さい円形状の内径部を有することを特徴とする請求項１に記載の連結用具。
【請求項３】
前記連結部は、長尺状であり、
前記突起部は、一対のリブであり、
前記突起部を形成する２つのリブ間の距離は、前記連結部の短手方向の長さより、僅かに大きいことを特徴とする請求項１又は請求項２に記載の連結用具。
【請求項４】
前記連結部は、反射式トラテープを有することを特徴とする請求項１乃至請求項３の何れかに記載の連結用具。
【請求項５】
前記第１環状部、前記第２環状部及び前記連結部は、メッキ塗装された鉄剛材料により、形成されることを特徴とする請求項１乃至請求項４の何れかに記載の連結用具。
【請求項６】
前記第１環状部、前記第２環状部及び前記連結部は、樹脂材料により、筒状に形成され、内部に鉄心を有することを特徴とする請求項１乃至請求項４の何れかに記載の連結用具。
【請求項７】
請求項１乃至請求項６の何れかに記載の連結用具と、
設置面と接する底部及び前記底部より円錐状に立設する円錐部を有するコーンと、
前記円錐部の頂部側に取り付けられるコーンバーと、
を備え、
前記連結用具、前記コーン及び前記コーンバーは、同色に形成されることを特徴とする設置具。
【発明の詳細な説明】
【技術分野】
【０００１】
本発明は、連結用具及び設置具に関する。
【背景技術】
【０００２】
従来からコーン同士を繋ぐ連結用具が提案されている。例えば、特許文献１には、コーンの外面に嵌合可能な環状体である連結用具が開示されている。この連結用具は、円環状の壁部を有し、壁部の上端部に設けられた突出片がコーンの外面と嵌合することで、コーンへ取り付けが可能となっている。また、特許文献１の連結用具は、貫通孔が設けられ、貫通孔にリング部材を取り付けることで、コーン同士をチェーンなどで繋ぐことができる。
【先行技術文献】
【特許文献】
【０００３】
【特許文献１】実用新案登録第３１９８５９０号
【発明の概要】
【発明が解決しようとする課題】
【０００４】
特許文献１の連結用具は、被取り付け対象であるコーンに取り付け、チェーンによりコーンを連結させた際に、連結性が不十分な場合があり、コーンが横転や設置位置のズレを起こしてしまうことがあった。
【０００５】
本発明は、以上の点に鑑み、被取り付け対象の横転や設置位置のズレを防止する連結用具及び設置具を提供することを目的とする。
【課題を解決するための手段】
【０００６】
本発明の連結用具は、設置面と接する底部及び前記底部より円錐状に立設する円錐部を有する被取り付け対象に取り付けられ、第１環状部と、第２環状部と、前記第１環状部及び前記第２環状部を連結し、柱状の連結部と、を備え、前記第１環状部及び前記第２環状部は、それぞれの一方面上から立設して所定間隔を空けて設けられる一対の突起部を有し、前記突起部を形成する２つのリブは、前記連結部を挟み込むことが可能であることを特徴とする。
【０００７】
本発明の設置具は、上述の連結用具と、設置面と接する底部及び前記底部より円錐状に立設する円錐部を有するコーンと、前記円錐部の頂部側に取り付けられるコーンバーと、を備え、前記連結用具、前記コーン及び前記コーンバーは、同色に形成されることを特徴とする。
【発明の効果】
【０００８】
本発明によれば、被取り付け対象の横転や設置位置のズレを防止する連結用具及び設置具を提供することができる。
【図面の簡単な説明】
【０００９】
【図１】本発明の実施形態に係る連結用具を示し、（ａ）は連結用具の平面図であり、（ｂ）は連結用具の側面図である。
【図２】本発明の実施形態に係る連結用具の使用状態を示す正面図である。
【図３】本発明の実施形態に係る設置具の使用状態を示す斜視図である。
【発明を実施するための形態】
【００１０】
本発明の実施形態について説明する。図１（ａ）及び（ｂ）に示すように、連結用具１０は、環状部２０及び連結部３０を備え、長物状に形成される。連結用具１０は、鉄剛材料により作成することが可能であり、防錆対策として、その外表面をメッキ塗装して形成される。そして、連結用具１０は、コーン４０を連結するコーン用具又はコーンロックとして機能する。以下に、連結用具１０が備える環状部２０及び連結部３０について説明する。なお、以下の説明において、重力方向側を下側とし、その逆側を上側とする。
【００１１】
環状部２０は、円形状に形成され、その内側に円形状の切欠である内径部２１を有する。環状部２０の内径に相当する内径部２１は、環状部２０より僅かに小さく形成される。従って、環状部２０の一方面である表面２０ａ及び他方面である裏面２０ｂの径方向の長さは、環状部２０の外径と比べ短く形成される。そして、環状部２０の表面２０ａ及び裏面２０ｂは、環状部２０の周方向に亘って、形成される。
【００１２】
環状部２０は、その表面２０ａから立設する２つ（一対）のリブからなる突起部２２を有する。突起部２２を構成する２つのリブ同士の距離は、長い角柱状の連結部３０の短手方向の長さより僅かに長くなっている。換言すれば、突起部２２は、所定間隔を空けて設けられる一対の突起として形成される。そして、突起部２２は、環状部２０の表面２０ａ上に３箇所設けられる。３箇所に設けられた突起部２２は、それぞれ環状部２０の円周回りに、後述する連結部３０の端部である左端部３１又は右端部３２のどちらか一方を加えて、３６０度の円周を４分割した９０度毎に配置される。なお、リブからなる突起部２２、連結部３０の左端部３１及び連結部３０の右端部３２は、環状部２０と溶接して固定される。
【００１３】
環状部２０は、連結用具１０に、第１環状部２０Ａ及び第２環状部２０Ｂとして、２つ設けられる。第１環状部２０Ａ及び第２環状部２０Ｂは、それぞれ、長物状の連結用具１０の長手方向（延在方向）の両端側に位置する。そして、第１環状部２０Ａ及び第２環状部２０Ｂは、連結部３０により連結される。
【００１４】
また、第１環状部２０Ａは、環状部２０の表面２０ａ、裏面２０ｂ、内径部２１及び突起部２２にそれぞれ対応する表面２０Ａａ、裏面２０Ａｂ、内径部２１Ａ及び突起部２２Ａを有する。そして、第２環状部２０Ｂは、環状部２０の表面２０ａ、裏面２０ｂ、内径部２１及び突起部２２にそれぞれ対応する表面２０Ｂａ、裏面２０Ｂｂ、内径部２１Ｂ及び突起部２２Ｂを有する。
【００１５】
連結部３０は、その長手方向の長さがその短手方向の長さに比べ、非常に長い角柱状（長尺状）に形成される。換言すれば、連結部３０は、細長い角柱として形成される。連結部３０は、例えば、角パイプなどにより形成することが可能であり、その外表面に反射式トラテープを設けることで視認性を高めることもできるし、緩衝部材を設けることで不意の衝突に備えることもできる。連結部３０は、その長手方向（延在方向）の両端側のうち、一方端が第１環状部２０Ａの表面２０Ａａ上に位置し、他方端が第２環状部２０Ｂの表面２０Ｂａ上に位置する。そして、連結部３０は、第１環状部２０Ａの表面２０Ａａ上に位置する端部が左端部３１となり、第２環状部２０Ｂの表面２０Ｂａ上に位置する端部が右端部３２となる。従って、左端部３１は、第１環状部２０Ａの表面２０Ａａ上に配置され、右端部３２は、第２環状部２０Ｂの表面２０Ｂａ上に配置される。
【００１６】
次に、連結用具１０の使用態様を示す。連結用具１０は、図２に示すように、被取り付け対象であるコーン４０に取り付けることで、コーン４０同士を連結することができる。ここで、コーン４０は、設置面と接する底部４１及び底部４１の上面４１ａより立設する円錐部４２を有する。また、底部４１は、その下面４１ｂがコーン４０の設置面となり、正矩形の板状に形成される。そして、円錐部４２は、その外径が底部４１側で最大外径となり、底部４１側から立設する方向に向かって縮径し、立設した先の端側（円錐部４２の頂部側）が最小外径となる円錐状に形成される。
【００１７】
連結用具１０は、２つのコーン４０のうち、一方のコーン４０の円錐部４２には、第１環状部２０Ａを通し、他方のコーン４０の円錐部４２には、第２環状部２０Ｂを通すことで取り付けられる。このとき、第１環状部２０Ａの内径部２１Ａ及び第２環状部２０Ｂの内径部２１Ｂには、コーン４０の円錐部４２がそれぞれ配置された状態となる。また、第１環状部２０Ａの内径部２１Ａ及び第２環状部２０Ｂの内径部２１Ｂは、それぞれの外径がコーン４０の円錐部４２の最大外径より大きく形成され、底部４１の外径より小さく形成される。従って、第１環状部２０Ａ及び第２環状部２０Ｂは、コーン４０の円錐部４２に取り付けられると、コーン４０の底部４１側まで通すことが可能である。換言すれば、第１環状部２０Ａ及び第２環状部２０Ｂは、コーン４０の円錐部４２に取り付けられると、コーン４０の底部４１側に位置する。
【００１８】
そして、第１環状部２０Ａ及び第２環状部２０Ｂは、それぞれ突起部２２Ａ及び突起部２２Ｂがコーン４０の底部４１の上面４１ａに接する。以上により、連結用具１０は、コーン４０の上下方向において下側に位置して取り付けられ、コーン４０の重心を下側（コーン４０の設置面側）として、低い位置とした上で、２つのコーン４０同士を連結することができる。これにより、連結用具１０は、コーン４０の風抵抗性を上げ、横転及び設置ズレ等を防止することができる。さらに、連結用具１０は、鉄で作られた剛体であるため、長時間に亘り、２つのコーン４０同士を連結し続けることができる。
【００１９】
次に、連結用具１０、コーン４０及びコーンバー５０を備える設置具６０について説明する。設置具６０は、図３に示すように、コーン４０を連結用具１０及びコーンバー５０により、連結させたものである。
【００２０】
コーンバー５０は、樹脂材料などにより長物状に形成され、長手方向の両端に円環状の取付部５１を有し、両端の取付部５１を繋ぐ部材として円柱状の接続部５２を有する。取付部５１は、コーン４０の円錐部４２の最小外径よりやや大きい内径を有する。従って、コーンバー５０の取付部５１は、コーン４０の円錐部４２に通すと、円錐部４２の最小外径となる頂部側で係止する。
【００２１】
次に、設置具６０の組み立て方について説明する。まず、設置具６０を設置する設置者（以下、設置者）は、コーン４０を複数用意する。次に、設置者は、コーン４０同士を連結用具１０により連結させる。また、設置者がコーン４０を３つ以上用いて、設置具６０を組み立てる場合、１つのコーン４０の円錐部４２に対して、２つの連結用具１０を取り付ける箇所がある。ここで、1つのコーン４０の円錐部４２に、２つの連結用具１０の環状部２０を通す方法について、２パターンを説明する。
【００２２】
まず、1つ目のパターンとしては、図３のＡ部拡大図に示すように、２つの連結用具１０をそれぞれの連結部３０同士が直交するように、コーン４０に取り付けるパターン（以下、第１連結パターン）である。第１連結パターンは、一方の連結用具１０の環状部２０の裏面２０ｂを、取り付け対象のコーン４０の底部４１の上面４１ａに当接させるように、取り付け対象のコーン４０に取り付ける。このとき、一方の連結用具１０の突起部２２を上方に向いている。そして、他方の連結用具１０を突起部２２が下方に向いた状態で、一方の連結用具１０の連結部３０及び他方の連結用具１０が直交するように上から重ね、取り付け対象のコーン４０に取り付ける。すると、一方の連結用具１０の連結部３０が他方の連結用具１０の突起部２２を構成する２つのリブの間に配置され、他方の連結用具１０の連結部３０が一方の連結用具１０の突起部２２を構成する２つのリブの間に配置され、それぞれ突起部２２及び連結部３０が挟み込まれて嵌合する。また、一方の連結用具１０及び他方の連結用具１０の突起部２２は、何れかの連結部３０と嵌合しない箇所においては、それぞれ突起部２２同士で嵌合する（なお、突起部２２同士の嵌合の様子は、後述する図３のＣ部拡大図に示す態様と同じとなる）。これにより、突起部２２は、ずれ止め金具として機能し、２つの連結用具１０同士は、高い連結性を発揮することができる。また、第１連結パターンにより、コーン４０を直交するように連結させることができる。
【００２３】
そして、２つ目のパターンとしては、図３のＢ部拡大図に示すように、２つの連結用具１０をそれぞれの連結部３０同士が一直線状になるように、コーン４０に取り付けるパターン（以下、第２連結パターン）である。第２連結パターンは、一方の連結用具１０の環状部２０の裏面２０ｂを、取り付け対象のコーン４０の底部４１の上面４１ａに当接させるように、取り付け対象のコーン４０に取り付ける。このとき、一方の連結用具１０の突起部２２を上方に向いている。そして、他方の連結用具１０を突起部２２が下方に向いた状態で、一方の連結用具１０の連結部３０及び他方の連結用具１０が一直線状になるように上から重ね、取り付け対象のコーン４０に取り付ける。すると、一方の連結用具１０の連結部３０が他方の連結用具１０の突起部２２を構成する２つのリブの間に配置され、他方の連結用具１０の連結部３０が一方の連結用具１０の突起部２２の間に配置され、それぞれ突起部２２及び連結部３０が嵌合する。また、一方の連結用具１０及び他方の連結用具１０の突起部２２は、何れかの連結部３０と嵌合しない箇所においては、図３のＣ部拡大図に示すように、それぞれ突起部２２同士で嵌合する。これにより、第１連結パターン同様、突起部２２は、ずれ止め金具として機能し、２つの連結用具１０同士は、高い連結性を発揮することができる。また、第２連結パターンにより、コーン４０を一直線状に連結させることができる。
【００２４】
また、１つのコーン４０のみと連結するコーン４０（設置具６０の端側に位置するコーン４０）においては、底部４１の上面４１ａに連結用具１０の突起部２２が接するように取り付けられる。従って、コーン４０の底部４１の上面４１ａに環状部２０の裏面２０ｂを当接させる連結用具１０をコーン４０に取り付けた後、コーン４０の底部４１の上面４１ａに環状部２０の表面２０ａ側の突起部２２を向けて配置する連結用具１０を取り付けることができる。
【００２５】
設置者は、各コーン４０同士を連結用具１０により連結させた後、コーン４０の頂部側にコーンバー５０の取付部５１を取り付け、コーン４０の下側を連結用具１０で連結し、コーン４０の頂部側（上側）をコーンバー５０で連結させる。ここで、連結用具１０は、鉄製であり、コーンバー５０は、連結用具１０よりも軽い樹脂製である。従って、設置具６０は、各コーン４０に連結用具１０及びコーンバー５０をそれぞれ取り付けたとしても、その重心は下側に保たれる。以上により、設置者は、連結用具１０、コーン４０及びコーンバー５０により設置具６０を作成することができる。
【００２６】
また、設置具６０は、連結用具１０、コーン４０及びコーンバー５０を同色に形成することで、設置意味を明確にすることもできる。例えば、設置具６０を、緑色とした場合は歩行者通路の区画を形成するための設置、青色とした場合は資材置場の区画を形成するための設置、オレンジ色とした場合は立ち入り禁止の区画を形成するための設置などが挙げられる。
【００２７】
前述の実施形態において示した連結用具１０の変形例を示す。以下の本変形例の説明において、前述の実施形態と同様の構成及び効果については、その説明を省略又は簡素化する。本変形例の連結用具１０は、環状部２０及び連結部３０を樹脂材料により筒状に形成するものである。筒状の環状部２０及び連結部３０は、それぞれの内部に鉄心を有することで、被取り付け対象のコーン４０に取り付けた際に、前述の鉄製の連結用具１０同様に、重心を低く保つことができる。
【００２８】
以上、本発明の実施形態について説明したが、本発明は上述の実施形態やその変形例に限定されるものではなく、その要旨を逸脱しない限りにおいて、種々の変更が可能である。例えば、連結用具１０の環状部２０の内径部２１の形状や外径は、被取り付け対象の形状に応じて任意に変更することができる。また、環状部２０である第１環状部２０Ａ及び第２環状部２０Ｂの形状は同一でなくともよい。第１環状部２０Ａ及び第２環状部２０Ｂの形状を異なるものとすることで、形状の異なる被取り付け対象同士を連結することができる。また、連結用具１０の被取り付け対象は、コーン４０に限定されず、環状部２０を通すことが可能な部位を備えるものであればよい。
【符号の説明】
【００２９】
１０          連結用具                          ２０          環状部
２０Ａ        第１環状部                        ２０Ａａ      表面
２０Ａｂ      裏面                              ２０Ｂ        第２環状部
２０Ｂａ      表面                              ２０Ｂｂ      裏面
２０ａ        表面                              ２０ｂ        裏面
２１          内径部                            ２１Ａ        内径部
２１Ｂ        内径部                            ２２          突起部
２２Ａ        突起部                            ２２Ｂ        突起部
３０          連結部                            ３１          左端部
３２          右端部                            ４０          コーン
４１          底部                              ４１ａ        上面
４１ｂ        下面                              ４２          円錐部
５０          コーンバー                        ５１          取付部
５２          接続部                            ６０          設置具
【要約】
【課題】被取り付け対象の横転や設置位置のズレを防止する連結用具及び設置具を提供すること。
【解決手段】連結用具１０は、設置面と接する底部４１及び底部４１より円錐状に立設する円錐部４２を有するコーン４０に取り付けられ、第１環状部２０Ａと、第２環状部２０Ｂと、第１環状部２０Ａ及び第２環状部２０Ｂを連結し、柱状の連結部３０と、を備え、第１環状部２０Ａ及び第２環状部２０Ｂは、それぞれの一方面（表面２０Ａａ及び表面２０Ｂａ）上から立設して所定間隔を空けて設けられる一対の突起部２２（突起部２２Ａ及び突起部２２Ｂ）を有し、突起部２２を形成する２つのリブは、連結部３０を挟み込むことが可能である。
【選択図】図２【図１】
0006893055.tif 000002
【図２】
0006893055.tif 000003
【図３】
0006893055.tif 000004